(57)【要約】      （修正有）【課題】テープの使用時にホルダーに収納する事によってテープがよれる、裂ける、転がる等の支障を来さず円滑に作業を行う事が出来るテープホルダーを提供する。【解決手段】テープを使用する際は片手で押え、もう一方の手で引き出し、切り取る作業が必要であるが、引出口６を側面から上部に設け、中心の芯をテープの幅より低くし、引き出し口への進行方向手前にテープが芯に巻き付かないよう誘導体を設置したテープホルダー１にテープを収納する事によって片手のみで容易に使用する事が出来、かつ持ち運びを可能とし、作業効率を上げるようにした。【選択図】図１
2013154976.tif 000002
【特許請求の範囲】
【請求項１】
円板状で中心位置に回転支持部が設けられたベースと、前記回転支持部に回転自在に支持される円盤状の回転板と、前記ベースに取り付けられて前記回転板をカバーする下端が開口した円筒状のカバーとを備え、前記回転板の回転中心と軸心を一致させて前記回転板に取り付けられたテープの先端を引き出す引出口が前記カバーに設けられたテープホルダーであり、前記引出口は前記カバーの上面となる天板部に円弧状に形成された円弧部と前記カバーの側壁に前記円弧部と連通して前記カバーの下端開口部方向に延設されたスリット部とを有し、前記引出口から引き出されるテープの基端側が挿入されてガイドされる挿入部を前記カバーの内面に設けたことを特徴とするテープホルダー。
【請求項２】
前記挿入部は、前記カバーの内面に設けられた誘導体と前記カバーの内面とで構成されている請求項１記載のテープホルダー。
【発明の詳細な説明】
【技術分野】
【０００１】
本発明はテープを使い勝手良く使用することが可能なテープホルダーに関するものである。
【背景技術】
【０００２】
従来、本発明のテープホルダーに使用するビニールテープは、平状の荷造り用のひもとして、例えば、大明商事のエコＰＥレコード巻（幅：５０ミリメートル×長さ５００メートル巻）のものが文房具用品として市販されている。また、包装や手芸などに使用するリボンテープは種々のものが市販されている。
【０００３】
このビニールテープは、古新聞などの結束用に用いる他に、運動会などで子供が使用するボンボン(インターネットでＮＫＩ−ボンボンの作り方法を検索)等にも使用されている。
【０００４】
このビニールテープは、通常、棚の上に置かれて保管されており、必要な場合は床に置いて必要量引き出しているが、外周から引き出す際、ビニールテープ本体が転がったり、引き出したテープが捩じれてしまい、古新聞などの結束用に用いる場合は、短くなってしまうので実際に必要な長さよりも長く切断し、無駄が生じるという問題点があり、特に、ボンボンの作成に使用する場合は、捩じれを無くして使用しなければ上手く引き裂くことができないという問題点があった。また、リボンテープにおいても同様な問題点があった。
【０００５】
また、使用した際に、引き出し過ぎたテープをテープ本体に巻きつけても、先端が解けてしまい、何らかの方法で止めなければならないという問題があった。
【先行技術文献】
【特許文献】
【０００６】
【特許文献１】特開２０１１−３７５１３号公報
【発明の概要】
【発明が解決しようとする課題】
【０００７】
本発明はこのような課題を解決する為のもので、テープを使用する作業を円滑に進める為のテープホルダーを提供するものである。
【課題を解決するための手段】
【０００８】
この課題を解決する為に本発明のテープホルダーは、円板状で中心位置に回転支持部が設けられたベースと、前記回転支持部に回転自在に支持される円盤状の回転板と、前記ベースに取り付けられて前記回転板をカバーする下端が開口した円筒状のカバーとを備え、前記回転板の回転中心と軸心を一致させて前記回転板に取り付けられたテープの先端を引き出す引出口が前記カバーに設けられたテープホルダーであり、前記引出口は前記カバーの上面となる天板部に円弧状に形成された円弧部と前記カバーの側壁に前記円弧部と連通して前記カバーの下端開口部方向に延設されたスリット部とを有し、前記引出口から引き出されるテープの基端側が挿入されてガイドされる挿入部を前記カバーの内面に設けたことを特徴とする。
【発明の効果】
【０００９】
本発明のテープホルダーは、円板状で中心位置に回転支持部が設けられたベースと、前記回転支持部に回転自在に支持される円盤状の回転板と、前記ベースに取り付けられて前記回転板をカバーする下端が開口した円筒状のカバーとを備え、前記回転板の回転中心と軸心を一致させて前記回転板に取り付けられたテープの先端を引き出す引出口が前記カバーに設けられたテープホルダーであり、前記引出口は前記カバーの上面となる天板部に円弧状に形成された円弧部と前記カバーの側壁に前記円弧部と連通して前記カバーの下端開口部方向に延設されたスリット部とを有し、前記引出口から引き出されるテープの基端側が挿入されてガイドされる挿入部を前記カバーの内面に設けたことを特徴とするものであるから、テープ本体が転がったりすることがないという効果と、引き出したテープが捩じれてしまい、古新聞などの結束用に用いる場合は、短くなってしまうので実際に必要な長さよりも長く切断し、無駄が生じることがないという効果と、ボンボンの作成を手軽にできるという効果とがある。
【発明を実施するための形態】
【００１０】
以下本発明を実施するための最良の形態について説明する。テープホルダー１は、円板状で中心位置に回転支持部２が設けられたベース３と、前記回転支持部２に回転自在に支持される円盤状の回転板４と、前記ベース３に取り付けられて前記回転板４をカバーする下端が開口した円筒状のカバー５とを備え、前記回転板４の回転中心と軸心を一致させて前記回転板４に取り付けられたテープの先端を引き出す引出口６が前記カバー５に設けられたテープホルダー１であり、前記引出口６は前記カバー５の上面となる天板部７に円弧状に形成された円弧部８と前記カバー５の側壁９に前記円弧部８と連通して前記カバー５の下端開口部方向に延設されたスリット部１０とを有し、前記引出口６から引き出されるテープの基端側が挿入されてガイドされる挿入部１１を前記カバー５の内面に設けている。
【００１１】
ベース３は、合成樹脂材で形成されており、下面にはラバー１２が貼り付けられており、滑り止めの効果が得られ、据え置き使用時にホルダーが転倒する事を防止することができる。また、吊り下げ使用時においてもラバー１２がある事によって、身体への接触を緩和し、過度に動く事を少なくする事が出来るようにしている。
【００１２】
ベース３の内部に形成した凹所１３に使用者の腰のベルトに装備する為のフック１４を取り付けている。フック１４を取り付けることにより、据え置き使用だけで無く、テープホルダー１を腰に吊り下げたまま使用出来るようになり、移動しながらの作業時に、手を煩わす事なく持ち運びが可能となった。また、フック１４が据え置き使用時に邪魔にならないよう、底内部に収納する事を可能とし、収納時にフック１４が外部に飛び出さないよう留め金具１５を付けた。留め金具１５を取り付けた事によりフック１４が据え置き使用時にも支障を来さなくなった。
【００１３】
回転板４は、合成樹脂材で円板状に形成されており、ベース３の中心に突設された断面形状円形の回転支持部２が挿入される円筒状の芯１６が回転板４の上面に形成されている。芯１６はテープ本体Ｈの中央に形成された開口部が挿入されるものであって、テープ本体Ｈの開口部よりも径小に形成されるとともに、回転支持部２の中心と軸心を一致させている。回転支持部２を円筒状の芯１６まで挿入することで、回転板４の回転がぶれないようにしているが、回転板４内に留まっていても構わないものである。回転支持部２は、ベース３の中心に突設された棒状体のものを実施例としているが、ベース３の中心に円形の凹状部を形成し、回転板４の下面にベース３に形成した凹状部に回転自在に軸支される円柱体を形成しても構わないものである。
【００１４】
芯１６はテープ本体Ｈの中央に形成された開口部から突出しない高さに形成されている。芯１６の周囲には突起部１７が複数個も受けられており、テープ本体Ｈの芯材に突起部１７が入り込み、テープ本体Ｈが回転板４からずれることなく確り固定するようにしている。このように、テープ本体Ｈが円滑に回転するようにしており、テープ本体Ｈを直接底皿に収納して、強い回転を与えた場合に、心棒２にテープ本体Ｈの芯がぶつかって蛇行したり、テープＴの残量が少なくなった際にホルダーの中でテープ本体Ｈが転がる事を防止している。
【００１５】
回転板４の周囲には指をかけることができるように凹部１８が一定間隔で形成されている。
【００１６】
カバー５は、合成樹脂材で円筒状に形成されており、引出口６はカバー５の上面となる天板部７に円弧状に形成された円弧部８と前記カバー５の側壁９に前記円弧部８と連通し下端開口部方向に延設されたスリット部１０とを有し、テープ本体Ｈからテープを横に引き出す際には回転板４の回転を妨げることなく、テープＴが平らのままスリット部１０から円滑に引き出せ、テープホルダー１から上方向への引出も円弧部８からテープＴがよじれることなく、円滑に引き出せる。
【００１７】
カバー５とベース３とは、カバー５の下端内面に形成された突起部が、ベース３の外周面に形成された凹溝に嵌合されることで着脱自在に取り付けられる。
【００１８】
引出口６を逆円錐状の形状にすることで、円弧部８とスリット部１０とは滑らかに連結されることになり、テープ本体ＨからテープＴを横に引き出す際には回転板４の回転を妨げることなく、テープＴが平らのままスリット部１０から円滑に引き出せ、テープホルダー１から上方向への引出も円弧部８からテープＴがよじれることなく、更に、円滑に引き出せるのである。スリット部１０は、実施例ではＶ字状のものであるが、円弧部８の端縁から垂下したＩ字状のものでも構わないものである。
【００１９】
挿入部１１は、カバー５の内面に設けられているが、丸い棒状でコ字形の誘導体１９をテープＴの上端と誘導体１９の上側の内面とを一致させるとともに、テープＴの下端と誘導体１９の下側の内面とを一致させた位置に設けられており、カバー５の外側から見ると誘導体１９の右側が誘導体１９の左側に比し上側となるように上り傾斜させて設けられている。このように、カバー５の天板部７側の内面が円弧状に形成された誘導体１９を設けることで、テープＴが上方向に引っ張られ、ホルダー内で絡み、よれてしまう状態を防止出来る。誘導体１９は、内側の幅をテープＴの幅と略一致させたものであり、設ける方法は、接着、溶着、ねじ止めが考えられるが、整形により形成しても構わないものである。また、針金を折り曲げたものでも構わないものである。 
【００２０】
カバー５の下部に巻き戻し用の穴２０を開けている。穴２０から指を挿入して回転板４の凹部１８に指をかけ、テープＴの引き出し方向と逆方向に回す事で、出し過ぎたテープＴの巻き戻しが出来るようにしている。回転板４とベース３の摩擦の無い回転がテープＴを巻き戻す事を容易にし、誘導体１９が巻き戻したテープＴをホルダー１の中で絡み合う事無く、テープ本体Ｈに巻き付かせる事を出来るようにしている。
【００２１】
カバー５の側面にあるテープＴの引出口６の進行方向側にテープＴを固定させる止めクリップ２１を取り付けた。使用後テープＴの先端がホルダー内部に引き込まれる事を防ぎ、次回使用時に先端を探す事なく作業に取り掛かる事が出来る。
【００２２】
カバー５の側面に安全カバーの付いたカッター２２をテープＴの進行方向の先に取り付けている。カッター２２を取り付けた事で、刃物を持ち歩く必要が無く、両手を使わず、片手で安全にテープＴを切断する事が出来る。片手で作業が出来るので、結束する物をもう一方の手で押さえて置くことが出来、作業効率を上げる事が出来る。
【００２３】
カバー５の上部に可動式で起倒自在の取手２３を取り付けた。取手２３が取り付けられた事でもう一方の手に他の物資等を持ち、移動する事が出来るようになった。
【図面の簡単な説明】
【００２４】
【図１】本発明のテープホルダーの外観斜視図。
【図２】同上のテープホルダーの分解斜視図。
【図３】同上のテープホルダーの引出口の拡大図。
【図４】同上のテープホルダーの使用状態説明図。
【符号の説明】
【００２５】
１    テープホルダー
２    回転支持部
３    ベース
４    回転板
５    カバー
６    引出口
７    天板部
８    円弧部
９    カバーの側壁
１０    スリット部
Ｈ    テープ本体
Ｔ    テープ
【図１】
2013154976.tif 000003
【図２】
2013154976.tif 000004
【図３】
2013154976.tif 000005
【図４】
2013154976.tif 000006
【手続補正書】
【提出日】平成24年4月6日(2012.4.6)
【手続補正１】
【補正対象書類名】特許請求の範囲
【補正対象項目名】請求項２
【補正方法】変更
【補正の内容】
【請求項２】
前記挿入部は、前記カバーの内面に設けられた誘導体と前記カバーの内面とで構成されているテープホルダーであり、前記挿入部は、丸い棒状でコ字形の誘導体と前記カバーの内面とで形成されており、前記誘導体が巻き戻したテープをホルダーの中で絡み合う事無く、テープ本体に巻き付かせる事が出来るようにしている請求項１記載のテープホルダー。